(57)【特許請求の範囲】
【請求項１】
段ボール材を加工して製された矩形製品梱包用の製品梱包具において、
前記矩形製品は板状体であり、
前記段ボール材は矩形状をなしており、
中央に配された底面部とこの底面部の４辺の各々に突出連設された側面部とを備えた梱包具本体と、この梱包具本体を形成するために前記段ボール材の四隅部分を切断分離して得た４つの端材をそれぞれ折曲変形させてなるパッド材とを有した構成とされ、
前記パッド材を前記矩形製品の四隅部分にあてがった状態で、前記梱包具本体の底面部で前記矩形製品の一面を覆い、前記梱包具本体の４側面部を折り曲げて前記矩形製品の他の面を覆うようにしたことを特徴とする製品梱包具。
【請求項２】
請求項１において、
前記端材は略Ｔ字状であり、
前記パッド材は、前記端材のＴ字の横片部を横方向に折曲巻回した略筒状の本体部を備え、Ｔ字の縦片部を前記本体部から延出する補助片として備えていることを特徴とする製品梱包具。
【請求項３】
請求項２において、
前記パッド材の本体部は、前記端材のＴ字の横片部を縦方向に折り畳んで重層構造にしてから、筒状に折曲巻回して形成されていることを特徴とする製品梱包具。
【請求項４】
請求項３において、
前記パッド材の本体部の重層構造は、前記段ボール材に仕切り形成された帯状の中空部の形成方向に沿って折り曲げて形成されていることを特徴とする製品梱包具。
【請求項５】
請求項２〜４のいずれか１項において、
前記矩形製品は折り畳まれた状態にある折れ戸であり、
前記パッド材の補助片の一部を切断折曲して折曲片を形成し、この折曲片を前記折れ戸の戸板間に介在させる構成としたことを特徴とする製品梱包具。
【発明の詳細な説明】
【技術分野】
【０００１】
本発明は、段ボール材を加工して製された矩形製品梱包用の製品梱包具に関する。
【背景技術】
【０００２】
商工業製品は、傷防止等の製品保護を図るために、クッション性を有した段ボール材製の梱包箱に梱包した状態で出荷、輸送されることが一般的である。とりわけ直方体状の製品（矩形製品）用の製品梱包具は、包装紙のごとく、製品を包みながら梱包できるように、平板状に形成されているものが多い。この平板状の製品梱包具は、簡単に箱体状に組み立てられるように、隅あるいは隅近傍が切り取られ、切り込みや折目が形成されている（例えば、特許文献１参照）。
【０００３】
このような平板状の製品梱包具を用いれば、包装紙のごとく、製品の外形に沿って製品を包むように、製品梱包具を折り畳みながら梱包することができる。そうすることで、製品と梱包箱との隙間空間を極力小さくして、がたつかないように、かつ全体がかさばらないように梱包することができる。また、平板状であるため箱体状のものにくらべて成形加工が容易であり、低コストで製品梱包具を製造できるという利点もある。
【先行技術文献】
【特許文献】
【０００４】
【特許文献１】特開平１１−１０５８５９号公報
【発明の概要】
【発明が解決しようとする課題】
【０００５】
ところで、上記のような平板状の製品梱包具であっても、梱包したときにわずかに製品との間に隙間空間が発生する場合がある。また、矩形製品の側端面や隅部分に対してパッド材（緩衝材、保護材）を当てて保護強化を図るため、パッド材を詰め入れしやすいように隙間空間を設ける場合もある。さらには、寸法仕様の異なる、例えば高さ寸法の異なる建具などを１種の製品梱包具で梱包するものでは、寸法によっては当然に隙間空間ができるため、その場合にはパッド材を詰めなければならない。
【０００６】
しかしながら、そのようなパッド材を別途準備するとなると梱包コストが上昇するし、梱包時に手近なもので代用するとしても適切なものが見つからないこともあれば、パッド材を現場で加工形成することで作業効率が著しく低下してしまうおそれもある。
【０００７】
本発明は、このような事情を考慮して提案されたもので、その目的は、矩形製品を低コストで効率よく梱包でき、梱包に際して中に詰めるパッド材を簡単に用意でき、かつそのパッド材により製品保護を確実にできる製品梱包具を提供することにある。
【課題を解決するための手段】
【０００８】
上記目的を達成するために、本発明に係る製品梱包具は、段ボール材を加工して製された矩形製品梱包用の製品梱包具において、矩形製品は板状体であり、段ボール材は矩形状をなしており、中央に配された底面部とこの底面部の４辺の各々に突出連設された側面部とを備えた梱包具本体と、この梱包具本体を形成するために段ボール材の四隅部分を切断分離して得た４つの端材をそれぞれ折曲変形させてなるパッド材とを有した構成とされ、パッド材を矩形製品の四隅部分にあてがった状態で、梱包具本体の底面部で矩形製品の一面を覆い、梱包具本体の４側面部を折り曲げて前記矩形製品の他の面を覆うようにしたことを特徴とする。
【０００９】
（削除）
【００１０】
また、本発明においては、端材は略Ｔ字状であり、パッド材は、端材のＴ字の横片部を横方向に折曲巻回した略筒状の本体部を備え、Ｔ字の縦片部を本体部から延出する補助片として備えた構成としてもよい。
【００１１】
また、本発明においては、パッド材の本体部は、端材のＴ字の横片部を縦方向に折り畳んで重層構造にしてから、筒状に折曲巻回して形成されるようにしてもよい。
【００１２】
また、本発明においては、パッド材の本体部の重層構造は、段ボール材に仕切り形成された帯状の中空部の形成方向に沿って折り曲げて形成されるようにしてもよい。
【００１３】
また、本発明においては、矩形製品は折り畳まれた状態にある折れ戸であり、パッド材の補助片の一部を切断折曲して折曲片を形成し、この折曲片を折れ戸の戸板間に介在させる構成としてもよい。
【発明の効果】
【００１４】
本発明の製品梱包具によれば、上述のような構成としたことで、矩形製品を低コストで効率よく梱包でき、梱包に際して中に詰めるパッド材を簡単に用意でき、かつそのパッド材により製品保護を確実にできる。
【図面の簡単な説明】
【００１５】
【図１】本発明の一実施形態に係る製品梱包具の説明図であり、（ａ）は梱包具本体の平面図、（ｂ）は端材の拡大平面図である。
【図２】（ａ）〜（ｄ）はパッド材の生成手順を示した図である。
【図３】図２（ｂ）に対応した左側面図およびその一部の拡大側面図である。
【図４】製品梱包具による折れ戸の梱包手順を示した斜視図である。
【図５】（ａ）、（ｂ）はパッド材の一取り付け態様を示した要部斜視図である。
【図６】製品梱包具による折れ戸の梱包状態を示した斜視図である。
【図７】本発明の他の実施形態に係る製品梱包具の説明図であり、（ａ）は梱包具本体の平面図、（ｂ）は端材の平面図である。
【発明を実施するための形態】
【００１６】
以下に、本発明の実施の形態について、添付図面を参照しながら説明する。
【００１７】
図１（ａ）は本実施形態に係る製品梱包具の構成部材である梱包具本体の平面図、図１（ｂ）は梱包具本体を形成するために切り取られた端材の拡大平面図である。図２（ａ）〜（ｄ）は、この製品梱包具の他の構成部材であるパッド材の生成手順を示した図である。なお、本実施形態に示した製品梱包具は折れ戸を梱包対象としている。
【００１８】
この製品梱包具１の構成主部材である梱包具本体１０は、型抜き成形等の形成方法にて、矩形状の段ボール材２を切断し、四隅部分の端材３を分離して得られた平板状のものとなっている（図１（ａ）参照）。
【００１９】
この梱包具本体１０は、後述するように、包装紙のごとく矩形製品を包みながら組み立てできるように平板状に形成され、隅部分は切り取られ、折目Ａが施されている。この折目Ａは印刷等による目印線、ミシン目等で形成されていればよい。
【００２０】
図１（ａ）に示すように、梱包具本体１０の中央には矩形状の底面部１１が配されている。その底面部１１の４辺の各々には側面部１２が突出連設され、その側面部１２には折り返して使用できる折り返し部１３が連設され、長手の折り返し部１３の両側端にさらに折り返し片１４が形成されている。なお、この梱包具本体１０の形状、寸法、構造は、梱包対象である折れ戸３０（図４参照）の形状、寸法、種別等に概ね合致するように形成されることはいうまでもない。
【００２１】
段ボール材２の４つの隅部分より切り取られた各々の端材３は、図１（ｂ）に示すように、横片部３ａが縦片部３ｂよりも長い略Ｔ字状をなしている。
【００２２】
段ボール材２には仕切り形成された帯状の多数の中空部２ａ（図３参照）が形成されているが、本実施形態のものは、その中空部２ａは段ボール材２の短手方向に沿って形成されている。つまり、中空部２ａは端材３の横片部３ａの長手方向に沿って形成されている。
【００２３】
この端材３は、折り畳まれた状態の折れ戸３０（図４参照）を梱包具本体１０で梱包したときに、折れ戸３０の４つの隅部分３３にあてがうパッド材２０を成形するための材料である。パッド材２０を成形しやすくするために、端材３の表面には折目Ａが施されている。
【００２４】
パッド材２０の形状、構造について、図２（ａ）〜（ｄ）に示した形成手順および図３に示した側面図を参照しながら説明する。
【００２５】
まず、端材３のＴ字の横片部３ａを、縦方向（図２（ａ）における白抜き矢印方向）に向けて、２本の横方向の折目Ａにしたがって折り畳んで重層構造とする（図２（ａ）、（ｂ）および図３参照）。この折り畳みに際しては、上述したように、横片部３ａの長手方向に沿って帯状の中空部２ａが形成してあるので、スムーズに折り畳むことができる（図３参照）。
【００２６】
つぎに、重層構造となったＴ字の横片部３ａを、４本の折目Ａにしたがって折曲巻回して略筒状（図例では四角筒状）の本体部２１を成形する（図２（ｂ）、（ｃ）参照）。さらに、本体部２１の、重なり合った状態の横片部３ａの端部同士を粘着テープＴ（または接着剤等）で連結する。
【００２７】
この状態では、端材３の縦片部３ｂは四角筒状の本体部２１の１辺縁より延出された状態にあり、この縦片部３ｂがパッド材２０の補助片２２を構成する。
【００２８】
そして、補助片２２の端縁より、横片部３ａに略平行な方向に中程まで切り込み２２ａを入れ、切り込みを入れた片を本体部２１側に折り曲げて折曲片２３を形成する（図２（ｃ）、（ｄ）参照）。
【００２９】
このようして、４つのパッド材２０が成形される。
【００３０】
このパッド材２０は本実施形態では、略筒状の本体部２１と、補助片２２と、補助片２２の一部を折り曲げて形成した折曲片２３とを有した構造となっているが、梱包対象の形状、寸法、種別等に合致するように形成されることはいうまでもない。例えば、かならずしも略筒状としなくてもよいし、また折曲片２３を有さなくてもよい。
【００３１】
また、パッド材２０の本体部２１を重層構造とすることなく略筒状に形成してもよい。なお、本体部２１を強固に形成するためには、本図例のように重層構造とすることが望ましい。
【００３２】
本実施形態のものでは、パッド材２０の補助片２２（端材３の縦片部３ｂ）の巾寸法（つまり補助片２２を延出させた本体部２１の１辺の寸法）が、梱包対象である折り畳まれた状態の折れ戸３０の厚み寸法と略同一となっている。
【００３３】
上述したように、パッド材２０は、梱包具本体１０を形成するために段ボール材２を切断分離して得た端材３を利用して形成されるため、梱包コストを低減化できる。また、端材３を廃棄せずに利用できるので省資源にも寄与できる。
【００３４】
また、パッド材２０は端材３より形成されているため、梱包具本体１０を形成する際などにあらかじめ成形しておけばよい。そのため梱包現場においてパッド材として手近なものを探したり、新たに成形したりしなくてもよく、効率よく梱包作業を行うことができる。
【００３５】
ついで、梱包具本体１０と、図２に示した形成手順によって形成された４つのパッド材２０とによる折れ戸３０の梱包態様について、図４〜図６に示した梱包手順にそって説明する。なお図４では、パッド材２０を拡大して図示している。
【００３６】
まず、折り畳んだ折れ戸３０の一面（一方の戸板３０ａの外面）を梱包具本体１０で覆い隠すように、折れ戸３０を梱包具本体１０の底面部１１の中央に載置する。このとき、底面部１１の長手方向の両端部には折れ戸３０との間にわずかな隙間空間Ｓができている。
【００３７】
つぎに、折れ戸３０の長手方向の側端面３１の外側にできた隙間空間Ｓに、折れ戸３０の四隅部分３３の各々にあてがうようにパッド材２０（の本体部２１）を配する。本実施形態では、図５に示すように、パッド材２０は重なった両戸板３０ａの隅部分３３における側端面３１、３２の全高にわたってあてがわれる構成であるため、パッド材２０は端材３より生成した４つのものが用いられる。
【００３８】
また、パッド材２０は折れ戸３０の４つの隅部分３３のそれぞれに対応して、折れ戸３０を構成する２枚の戸板３０ａ間に折曲片２３が挿入されるように向きを異ならせて、それぞれ配設される。
【００３９】
具体的には、図５（ａ）、（ｂ）に示すように、横方向に飛び出した折曲片２３を戸板３０ａ間に挿入するとともに、補助片２２を折れ戸３０の巾方向の側端面３２にあてがい、本体部２１の開口を折れ戸の長手方向の側端面３１にあてがうようにして、パッド材２０を配設する。他の隅部分３３に対しても同様の手順でパッド材２０を配設する。なお、図５には、戸板３０ａの蝶番３０ｂで結合された側の一方の隅部分３３に対するパッド材２０の装着態様を例示している。
【００４０】
こうして、折れ戸３０の四隅部分３３のそれぞれには、隅部分３３を保護するようにパッド材２０が配される。特に、重なった２枚の戸板３０ａの隅部分３３における両戸板３０ａの連続する辺縁部３３ａは、その全長にわたりパッド材２０にて隠される。
【００４１】
なお、折れ戸３０を保護シート（不図示）で包む場合には、保護シートをあらかじめ底面部１１に敷いておき、その上に折れ戸３０を載置し、パッド材２０を配設した後、保護シートで製品の上面を包むようにすばよい。
【００４２】
そして、折れ戸３０にパッド材２０を取り付けた状態で、梱包具本体１０の４つの側面部１２および折り返し部１３を折れ戸３０の形状に沿って、順次折り畳んでいき、折れ戸３０の外形に沿った梱包体を形成する（図６参照）。
【００４３】
なお、折り畳み順序は特に限定されない。図６には、折れ戸３０の巾方向の側端面３２側に対応した側面部１２、折り返し部１３、折り返し片１４を先に折り、その後に長手方向の側端面３１側に対応した側面部１２、折り返し部１３を折った例を示している。
【００４４】
こうして、梱包具本体１０の側面部１２が折れ戸３０の側端面３１、３２にあてがわれ、折り返し部１３が折れ戸３０の上面に配された状態となる。本例では、折り返し部１３の両側端に連設された折り返し片１４は、折れ戸３０の長手方向の側端面３１にあてがわれ、さらにその上に、底面部１１から連設された側面部１２が重ねるようにあてがわれるようになっている。
【００４５】
そして、梱包具本体１０が折れ戸３０から外れないように、また折れ戸３０の上面に折り畳んだ梱包具本体１０の折り返し部１３が開かないように、数箇所をバンドＢで固定する。
【００４６】
このようにして、折れ戸３０は、パッド材２０で隅部分３３をあてがった状態で梱包具本体１０に梱包される。
【００４７】
このような製品梱包具１によれば、もっとも傷みやすい折れ戸３０の４つの隅部分３３がパッド材２０があてがわれた状態にあるため、パッド材２０が保護材として作用して、隅部分３３の傷防止が図られる。特に、重なった２枚の戸板３０ａの隅部分３３における両戸板３０ａの連続する辺縁部３３ａは、パッド材３０によって確実に覆われるため、辺縁部３３ａに傷が付くことはほとんどない。
【００４８】
また、梱包された折れ戸３０を壁等に立て掛けた場合には、折れ戸３０の下端に荷重がかかり、下端面が傷みやすくなるが、パッド材２０の本体部２１が梱包された箱体内で脚部のごとく緩衝材として作用するため、下端面の傷防止が確実に図られる。
【００４９】
さらに、梱包具本体１０によって成形された梱包箱内で折れ戸３０ずれ動かないように隙間空間Ｓにパッド材２０が詰められるので、輸送中等のがたつきを防止することができる。また、その梱包箱が型崩れすることも防止できる。
【００５０】
さらに、本実施形態の構成によれば、パッド材２０には戸板３０ａ間に介在させるための折曲片２３が形成されているので、戸板３０ａ同士が衝突してがたつくことも防止できる。
【００５１】
本実施形態では、矩形製品として折れ戸３０の例を示したが、さらに厚みのある直方体製品を梱包対象としてもよく、その場合には、異なる形状、寸法、構造の梱包具本体、パッド材が用いられる。
【００５２】
図７は、折れ戸３０よりも厚みのある矩形製品を対象とした製品梱包具の説明図であり、図７（ａ）は梱包具本体の平面図、図７（ｂ）はその梱包具本体の形成時に得られる８つの端材の平面図である。
【００５３】
梱包具本体１０は、底面部１１と、底面部１１に連設された４つの側面部１２と、各側面部１２に連設された４つの折り返し部１３とよりなり、段ボール材２より四隅部分を除去して得られる。
【００５４】
また、端材３は長方形状であり、除去した四隅部分の各々をさらに同形状、同寸法に２つに切断して得られる。
【００５５】
これらの端材３の各々を、長手方向に施した折目Ａに沿って折り曲げて重層構造に成形し、さらに巾方向の折目Ａに沿って折曲巻回して四角筒状に形成し、端部同士を粘着テープＴで接着することでパッド材２０が形成される。なお、本実施形態のパッド材２０は本体部２１のみよりなり、補助片および折曲片は形成されていない。
【００５６】
これら８つのパッド材２０は、矩形製品（図７では不図示）の側端面側において８つの隅部分の近傍にあてがわれ、その状態で梱包具本体１０にて梱包されるようにすればよい。
【００５７】
製品梱包具１を構成する梱包具本体１０、パッド材２０としては、上記実施形態で示したもの以外の種々の形状のものが想定できる。梱包具本体１０は底面部１１と４つの側面部１２とを少なくとも備えていればどのような形状でもよく、パッド材２０としては、その梱包具本体１０を形成するために段ボール材２より切断した端材３を折曲変形させたものであればどのような形状でもよい。なお、パッド材２０は切り取られたすべての端材３を用いたものでなくてもよい。
【符号の説明】
【００５８】
１      製品梱包具
２      段ボール材
２ａ      中空部
３      端材
３ａ      横片部
３ｂ      縦片部
Ａ      折目
１０      梱包具本体
１１      底面部
１２      側面部
１３      折り返し部
１４      折り返し片
２０      パッド材
２１      本体部
２２      補助片
２３      折曲片
３０      折れ戸（矩形製品）
３０ａ      戸板
３１      長手方向の側端面
３２      巾方向の側端面
３３      隅部分
３３ａ      辺縁部
【図１】
0005604381.tif 000002
【図２】
0005604381.tif 000003
【図３】
0005604381.tif 000004
【図４】
0005604381.tif 000005
【図５】
0005604381.tif 000006
【図６】
0005604381.tif 000007
【図７】
0005604381.tif 000008